(57)【要約】【課題】安価な構成により、使用者の不快感を軽減できる認識用ベルトを提供する。【解決手段】１枚のポリウレタン基材から成るベルト本体２の一方端部に、離型紙３ｃを剥離して他方端部に接着することによりベルト本体２を使用者の手首や足首に巻回状態に保持する接着部３を形成し、ベルト本体２の使用者の手首や足首の肌に接触する裏面側に、肌とのべたつきを軽減するためにべたつき軽減加工部７を形成し、ベルト本体２の接着部３に破断部４を形成する。【選択図】図２
2018132543.tif 000002
【特許請求の範囲】
【請求項１】
使用者の手首や足首などの装着部位に装着されるポリウレタン製のベルト本体と、前記ベルト本体に設けられ前記使用者を識別するための識別情報が表示される情報表示部とを備えた認識用ベルトにおいて、
前記ベルト本体は、１枚のポリウレタン基材により形成され、
前記ベルト本体の一方端部に形成され離型紙を剥離することにより前記ベルト本体の他方端部に接着して前記ベルト本体を使用者の手首や足首に巻回可能な接着部と、
前記ベルト本体の使用者の手首や足首の肌に接触する裏面側に、肌とのべたつきを軽減するために形成されたべたつき軽減加工部とを備え、
前記ベルト本体の前記接着部には、前記ベルト本体の他方端部との接着を剥離したときに再接着不能に破断する破断部が形成されていることを特徴とする認識用ベルト。
【請求項２】
前記ベルト本体の前記べたつき軽減加工部は、肌との接触面積を低減する凹凸部を有することを特徴とする請求項１に記載の認識用ベルト。
【請求項３】
前記ベルト本体の前記べたつき軽減加工部は、肌とのすべりが良好なコーティング層から成ることを特徴とする請求項１に記載の認識用ベルト。
【請求項４】
前記ベルト本体の前記コーティング層には、肌との接触面積を低減する凹凸部が形成されていることを特徴とする請求項３に記載の認識用ベルト。
【請求項５】
前記ベルト本体の少なくとも両端部に、前記ベルト本体の幅方向の中央を示すマークが付されていることを特徴とする請求項１ないし４のいずれか１項に記載の認識用ベルト。
【請求項６】
前記情報表示部は、前記認識用ベルトの両端部を除く領域に形成されていることを特徴とする請求項１ないし５のいずれか１項に記載の認識用ベルト。
【請求項７】
前記ベルト本体の前記情報表示部の情報はプリンタにより印字されるものであり、
前記ベルト本体の前記情報表示部に、前記印字の際の印字位置の基準マークが形成されていることを特徴とする請求項１ないし６のいずれか１項に記載の認識用ベルト。
【請求項８】
前記接着部の幅は、前記接着部を除く前記ベルト本体の幅よりも小さく形成されていることを特徴とする請求項１ないし７のいずれか１項に記載の認識用ベルト。
【発明の詳細な説明】
【技術分野】
【０００１】
この発明は、病院等の医療機関における患者等の認識、或いは、レジャーランドやイベント会場等における個人の認識に使用される認識用ベルトに関するものである。
【背景技術】
【０００２】
従来、病院等の医療機関において、手術、投薬、採血、輸血などの際の患者の取り違えの防止や、産院や産科等における新生児の取り違え防止を目的として、患者の氏名、性別や血液型などの患者情報、新生児の氏名、血液型、出生日時、主治医氏名などの新生児情報がバーコードやＱＲコード（登録商標）等により表示された認識用ベルトを患者や新生児の手首や足首に装着することが行われている（特許文献１）。
【先行技術文献】
【特許文献】
【０００３】
【特許文献１】特開２００６−２８５０３６号公報（段落００３７〜００４０および図１参照）
【発明の概要】
【発明が解決しようとする課題】
【０００４】
上記した従来の認識用ベルトは、合成樹脂の射出成形により形成されたバンド本体の一端に情報表示部が設けられ、この情報表示部にバーコード等が表示される。ここで、ベルト本体には、使用者の手首や足首に損傷を与えないように、柔軟性の高いポリウレタンが使用される。
【０００５】
そして、バンド本体を手首等に巻き付けて、バンド本体とは別に準備された固定具が、バンド本体の両端部に設けられた係止部に係止され、バンド本体が環状に保持されて手首等に装着される。
【０００６】
しかし、この種の認識用ベルトの場合、バンド本体の装着のために固定具を別途準備する必要があり、部品点数が多くなってコストの上昇を招くという問題がある。また、バンド本体はポリウレタン製で柔軟性を有するものの、手首や足首が水に濡れたときに、手首、足首に巻き付けられたバンド本体が肌にくっつき易いため、バンド本体が装着された患者等が不快感を覚えるという問題もある。
【０００７】
本発明は、上記課題に鑑みてなされたものであり、安価な構成により、使用者の不快感を軽減できる認識用ベルトを提供することを目的とする。
【課題を解決するための手段】
【０００８】
上記した目的を達成するために、本発明の認識用ベルトは、使用者の手首や足首などの装着部位に装着されるポリウレタン製のベルト本体と、前記ベルト本体に設けられ前記使用者を識別するための識別情報が表示される情報表示部とを備えた認識用ベルトにおいて、前記ベルト本体は、１枚のポリウレタン基材により形成され、前記ベルト本体の一方端部に形成され離型紙を剥離することにより前記ベルト本体の他方端部に接着して前記ベルト本体を使用者の手首や足首に巻回可能な接着部と、前記ベルト本体の使用者の手首や足首の肌に接触する裏面側に、肌とのべたつきを軽減するために形成されたべたつき軽減加工部とを備え、前記ベルト本体の前記接着部には、前記ベルト本体の他方端部との接着を剥離したときに再接着不能に破断する破断部が形成されていることを特徴としている。
【０００９】
このような構成によれば、１枚のポリウレタン基材から成るベルト本体の一方端部に、離型紙を剥離して他方端部に接着することによりベルト本体を使用者の手首や足首に巻回状態に保持する接着部を形成したため、ベルト本体とは別の固定具を用いずに、ベルト本体を使用者の他首等に巻回して装着することができ、部品点数を減らして安価な構成の認識用ベルトを提供することができる。
【００１０】
さらに、ベルト本体の使用者の手首や足首の肌に接触する裏面側に、肌とのべたつきを軽減するためにべたつき軽減加工部を形成することにより、使用者の手首や足首が水に濡れてもベルト本体が肌にくっつき難く、ベルト本体が肌にくっつくことにより使用者が不快感を覚えるのを防止することができる。
【００１１】
また、ベルト本体の接着部に破断部を形成したため、接着状態の接着部を無理に剥離すると破断部が破断して接着部の再接着が不能になり、ある使用者に使用すべき認識用ベルトが他の使用者に間違って再使用されるおそれを防止できる。
【００１２】
ところで、前記ベルト本体の前記べたつき軽減加工部は、肌との接触面積を低減する凹凸部を有するとよい。この場合、ベルト本体に凹凸部によるべたつき軽減加工部を直接形成するので、べたつき軽減加工部の形成を容易に行うことができる。
【００１３】
また、前記ベルト本体の前記べたつき軽減加工部は、肌とのすべりが良好なコーティング層から成るとよい。こうすると、ベルト本体にコーティング層を形成することによりべたつき軽減加工部を容易に形成することができる。ここで、べたつき軽減加工部を構成するコーティング層の素材として、撥水効果の高い樹脂等を使用するのが望ましい。
【００１４】
また、前記ベルト本体の前記コーティング層には、肌との接触面積を低減する凹凸部が形成されているとよい。この場合、凹凸部を有するコーティング層をベルト本体に形成することで、べたつき軽減加工部に簡単に形成することができて、しかも凹凸によって肌との接触面積を一層低減して不快感を軽減することができる。
【００１５】
また、前記ベルト本体の少なくとも両端部に、前記ベルト本体の幅方向の中央を示すマークが付されているとよい。このようにすると、ベルト本体を使用者の手首や足首に巻き付け、ベルト本体の一方端部の接着部の離型紙を剥離して接着部を他方端部に接着する際に、ベルト本体の両端部のマークを一致させることで、接着部をずれなく接着することができ、接着作業を容易に行うことができる。ここで、マークはベルト本体の表面、裏面のいずれに形成してもよいが、透明もしくは半透明のポリウレタンによりベルト本体を形成する場合には、ベルト本体の裏面側にマークを形成することにより接着部の接着の際にマークを容易に認識することができる。
【００１６】
また、前記情報表示部は、前記ベルト本体の両端部を除く領域に形成されているのが望ましい。こうすると、ベルト本体のほとんどの領域を情報表示部として使用することができ、広い情報表示部の各所に使用者に関する情報を表示しておくことにより、様々な方向から情報表示部の情報を読取ることができて実用性が高い。
【００１７】
また、前記ベルト本体の前記情報表示部の情報はプリンタにより印字されるものであり、前記ベルト本体の前記情報表示部に、前記印字の際の印字位置の基準マークが形成されているとよい。この場合、プリンタにより情報表示部に情報を印字する際に、情報表示部のプリンタの機種に応じて選択可能な位置に基準マークを形成しておくことにより、この基準マークを目印として印字の位置決めを容易に行うことができる。
【００１８】
また、前記接着部の幅は、前記接着部を除く前記ベルト本体の幅よりも小さく形成されているとよい。こうすると、接着部を接着する際に、接着部がベルト本体の幅方向にはみ出し難くなり、接着部を美麗に接着することができる。
【発明の効果】
【００１９】
本発明によれば、１枚のポリウレタン基材から成るベルト本体の一方端部に、他方端部に接着する接着部を形成したため、従来のようなベルト本体とは別の固定具が不要になり、部品点数を減らして安価な構成の認識用ベルト提供することができる。また、ベルト本体の使用者の手首や足首の肌に接触する裏面側にべたつき軽減加工部を設けたため、ベルト本体が使用者の肌にくっつくことにより使用者が不快感を覚えるのを防止することができる。さらに、接着状態の接着部を無理に剥離すると破断部が破断して接着部の再接着が不能になるため、特定の使用者に使用すべき認識用ベルトが間違って他人に再使用されるおそれがない。
【図面の簡単な説明】
【００２０】
【図１】本発明に係る認識用ベルトの一実施形態の平面図である。
【図２】一実施形態の使用状態における斜視図である。
【図３】一実施形態の底面図である。
【図４】一実施形態の図１と異なる状態における平面図である。
【図５】図１の一部の平面図である。
【図６】図１の断面図である。
【図７】本発明に係る認識用ベルトの他の実施形態の一部の裏面図である。
【発明を実施するための形態】
【００２１】
本発明の一実施形態について図１ないし図６を参照して説明する。
【００２２】
図１、図２に示すように、本実施形態における認識用ベルト１は、例えば病院で入院患者や新生児の手首、足首に装着されるもので、１枚のポリウレタン基材から成る帯状のベルト本体２と、ベルト本体の一方端部に形成された接着部３と、該接着部３に形成された破断部４と、ベルト本体２の両端部を除く領域に形成された情報表示部５とを備える。
【００２３】
ベルト本体２は、例えば厚さ０．２ｍｍ〜０．３ｍｍのポリウレタン樹脂フィルムシートＤＵＳ４３３（日本ミラクトン（株）製）を用いるのが好ましく、ベルト本体２を抜き取るためにベルト本体２の輪郭に沿って予め形成された切込みミシン線Ｌに沿って、ポリウレタン樹脂フィルムシートを打抜き切断することによりベルト本体２が形成される。
【００２４】
接着部３は、ベルト本体２の一方端部に形成され、図６に示すように、離型紙３ａの上に接着像３ｂが積層され、この接着層３ｂの上にベルト本体２と同じポリウレタン基材３ｃが積層された構造となっている。そして、離型紙３ａが剥離されて接着層３ｂが露出され、図２に示すように、ベルト本体２の接着部３と反対側の他方端部の表面側に接着層３ｂが接着されることにより、ベルト本体２が使用者の手首や足首に巻回状態に装着される。このとき、接着部３の幅は、接着部３を除くベルト本体２の幅よりも小さく形成されており、その結果、接着部３を接着する際に、接着部３がベルト本体２の幅方向にはみ出し難くなる。
【００２５】
破断部４は、図１、図５に示すように、接着部３のポリウレタン基材３ｃにうろこ状の切り込みが多数形成して成り、ベルト本体２の他方端部に接着された接着部３を無理やり剥離したときに、接着部３を再接着できないように破断部４のほぼ全ての切り込みが破断するか、或いは、いくつかの切り込みが破断して剥離の痕跡が残り、特定の使用者に使用すべき認識用ベルト１が間違って他の使用者に再使用されることが防止される。
【００２６】
情報表示部５には、使用者である入院患者や新生児の属性、および、患者や新生児の性別、氏名、血液型、識別（ＩＤ）番号、病棟名などの患者情報や新生児情報が、図４に示すようにバーコードＢやＱＲコード（登録商標）Ｋのほか文字により表示される。その際、例えばダイレクトサーマル方式プリンタ、熱転写リボンを用いる熱転写方式プリンタ、インクジェットプリンタ、レーザープリンタにより、含有率が１〜５重量％の顔料、７５〜８０重量％のモノマー、５〜１５重量％の紫外線硬化樹脂を含むインク剤を用いて患者情報や新生児情報が印字される。
【００２７】
ここで、上記したインク剤を用いてポリウレタン製のベルト本体２に印字すると、ベルト本体２のポリウレタン表面に積層される紫外線硬化樹脂の層が比較的柔らかく、当該インク剤に含まれるモノマー（ウレタン系モノマーなど）がベルト本体２のポリウレタン表面と重合し易く親和性に優れているため、モノマーおよび顔料を含んだ紫外線硬化樹脂の層をポリウレタンのベルト本体２に形成して硬化させることによって、ベルト本体２の情報表示部５に形成されたコードや文字表示による患者情報や新生児情報が擦れやアルコールの付着によっても消え難くなる。
【００２８】
ところで、ベルト本体２の裏面側には、図３に示すように、ベルト本体２の幅方向の中央を示す直線状のマークＭｃがベルト本体２の長尺方向に沿って形成され、ベルト本体２の両端部においてマークを一致させることで、接着部をずれなく接着することができるようになっている。さらに、ベルト本体２の情報表示部５のほぼ中間の位置に、プリンタによる印字の際の位置合わせ基準となる幅方向の印字位置基準マークＭｐが形成されている。これにより、基準マークＭｐを目印としてプリンタにより情報表示部５に情報を印字することにより、印字の位置決めを容易に行うことができる。なお、印字位置基準マークＭｐの形成位置は、ベルト本体２の情報表示部５のほぼ中間の位置に限るものではなく、印字に使用するプリンタの機種に応じて選択可能な位置に基準マークＭｐを形成するのが好ましい。さらに、これらのマークＭｃ，Ｍｐは、人体に無害なインク等を用いて印刷するのが好ましい。
【００２９】
また、ベルト本体２の使用者の手首や足首の肌に接触する裏面側には、肌とのべたつきを軽減するために形成されたべたつき軽減加工部７が形成されている。このべたつき軽減加工部７は、ポリウレタン製のベルト本体２の裏面に、撥水効果を発揮する加工を施すのが望ましく、このような撥水効果を有するべたつき軽減加工部７を使用者の肌に触れるベルト本体２の裏面側に形成することにより、ベルト本体２が水に濡れても肌にくっつき難くなる。
【００３０】
上記したべたつき軽減加工部７の具体例として、図３中に例えば斜線に示すような多数の凸条がエンボス加工されて凹凸部８がべたつき軽減加工部７に形成される。なお、図３では、例えば斜線部分が凹で斜線と斜線との間が凸となり、凹凸部８の凸の部分が使用者の肌に直接接触することになるが、凹凸のない場合に比べて肌との接触面積が小さくなる上、凹条の線部分に沿ってベルト本体２の外部に水が流れるようになり、肌およびベルト本体２が濡れても肌に接触するベルト本体２の裏面側には撥水効果が発揮されてべたつき感が緩和される。
【００３１】
したがって、上記した実施形態によれば、１枚のポリウレタン基材から成るベルト本体２の一方端部に、離型紙３ｃを剥離して他方端部に接着することによりベルト本体２を使用者の手首や足首に巻回状態に保持する接着部３を形成したため、従来のようにベルト本体２とは別の固定具を用いることなく、ベルト本体２を使用者の手首等に巻回して装着することができ、部品点数を減らして安価な構成の認識用ベルト１を提供することが可能になる。
【００３２】
さらに、ベルト本体２の使用者の手首や足首の肌に接触する裏面側に、肌とのべたつきを軽減するためにべたつき軽減加工部７を形成したことにより、使用者の手首や足首が水に濡れてもベルト本体２が肌にくっつき難くなり、ベルト本体２が肌にくっつくことにより使用者がべたつき感などの不快感を覚えるのを未然に防止することが可能になる。
【００３３】
また、ベルト本体２の接着部３に破断部４を形成したため、接着状態の接着部３を無理に剥離すると破断部４が破断して接着部３の再接着が不能になり、ある使用者に使用すべき認識用ベルトが他の使用者に間違って再使用されるおそれを未然に防止することが可能になる。
【００３４】
さらに、べたつき軽減加工部７として、ベルト本体２の肌との接触面積を低減する斜線状の凹凸部８をエンボス加工により形成したため、凹凸部８をベルト本体２に簡単に形成することができて、しかも凹凸によって肌との接触面積を一層低減することができる上、斜線状の凹凸部８により肌に付着した水をベルト本体２の外部に円滑に流すことができて、使用者の不快感をより軽減することが可能になる。
【００３５】
また、ベルト本体２の幅方向の中央を示す直線状のマークＭｃをベルト本体２の長尺方向に形成したため、ベルト本体２を使用者の手首や足首に巻き付け、ベルト本体２の一方端部の接着部３の離型紙３ａを剥離して接着部３を他方端部に接着する際に、ベルト本体２の両端部のマークＭｃを一致させることによって、接着部３をずれなく接着することができ、接着作業を容易に行うことが可能になる。
【００３６】
さらに、ベルト本体２の情報表示部５の長尺方向のほぼ中間位置に、プリンタによる印字時の印字位置基準マークＰｍを形成したため、基準マークＭｐを目印としてプリンタにより情報表示部５に患者情報や新生児情報を印字することにより、印字の位置決めを容易に行って適切な位置に位置ずれなく情報の印字を行うことが可能になる。なお、基準マークＭｐの形成位置は、情報表示部５の長尺方向のほぼ中間位置に限らない。
【００３７】
また、接着部３の幅を、接着部３を除くベルト本体２の幅よりも小さく形成したため、接着部３を接着する際に、接着部３がベルト本体２の幅方向にはみ出し難くなり、接着部３を美麗に接着することが可能になる。
【００３８】
さらに、情報表示部５をベルト本体２の両端部を除くほとんどの領域に形成したため、ベルト本体２の大半の領域を情報表示部５として使用することができ、広い情報表示部５の各所に使用者に関する情報（例えば図４に示すＱＲコードＫ）を表示しておくことによって、様々な方向から情報表示部５の情報を読取り手段により読取ることが可能になって使い勝手が非常によい。
【００３９】
なお、本発明は上記した実施形態に限定されるものではなく、その趣旨を逸脱しない限りにおいて上述したもの以外に種々の変更を行うことが可能である。
【００４０】
また、他の実施形態として、図７に示すように、プリンタによる印字の際の位置合わせ基準となる幅方向の印字位置基準マークＭｐ’を、接着部３に設けられた離型紙３ａ端部の幅方向に形成しておき、情報表示部５に所定の情報をプリンタにより印字し、使用者である入院患者や新生児の手首や足首に巻き付ける際に、離型紙３ａを剥離することより基準マークＭｐ’も除去することにより、基準マークＭｐ’用のインクが使用者の肌に付着するなどのおそれもなく、安全面でも優れる。
【００４１】
さらに、異なる他の実施形態として、ベルト本体２の情報表示部５のほぼ中間の位置に小さく形成した孔や凹部を、プリンタによる印字の際の位置合わせ基準となる幅方向の印字位置基準マークとしてもよい。
【００４２】
また、ベルト本体２の表面側であって、情報表示部５の患者情報や新生児情報を印字する領域以外の位置に、プリンタによる印字の際の位置合わせ基準となる幅方向の印字位置基準マークを形成してもよい。
【００４３】
また、上記した図１〜図６に示す実施形態では、ポリウレタン製のベルト本体２の肌に接触する裏面側に、エンボス加工による凹凸部８を形成することでべたつき軽減加工部７を形成した例について説明したが、撥水効果の高いフッ素系やシリコン系の樹脂をベルト本体２の裏面に塗布してコーティング層を形成し、このコーティング層に凹凸部を形成しておくことにより、ベルト本体２の肌に接触する裏面側に、べたつき軽減加工部７を形成することができる。このような撥水効果を有するコーティング層から成るべたつき軽減加工部７を、使用者の肌に触れるベルト本体２の裏面側に形成することにより、ベルト本体２が水に濡れても肌にくっつき難くなる。
【００４４】
また、上記した実施形態では、病院等の医療機関における患者等の認識に使用する認識用ベルト１について説明したが、本発明に係る認識用ベルトは、レジャーランドやイベント会場等における個人の認識にも使用することができるのは勿論である。
【００４５】
また、上記した実施形態では、べたつき軽減加工部７にエンボス加工により斜線状の凹凸部８を形成した例について説明したが、凹凸部は斜線状のものに限らず、多数の突起をエンボス加工することで凹凸部を形成してもよく、要するに凹凸部は肌との接触面積を低減できる構造であればよく、その加工方法もエンボス加工に限定されるものではない。
【００４６】
また、上記した実施形態では、破断部４を多数のうろこ状の切り込みにより構成して例を示したが、破断部はこれに限定されるものではなく、要するに接着状態の接着部３を無理やり引き剥がしたときに破断し易い構成であればよい。
【００４７】
また、上記した実施形態では、ベルト本体２の幅方向の中央を示すマークＭｃをベルト本体２の裏面側にインクを用いて形成した場合について説明したが、エンボス加工によりマークＭｃを形成してもよく、さらにはベルト本体２の表面側に形成するようにしてもよい。
【符号の説明】
【００４８】
１    …認識用ベルト
２    …ベルト本体
３    …接着部
３ａ  …離型紙
４    …破断部
５    …情報表示部
７    …べたつき軽減加工部
８    …凹凸部
【図１】
2018132543.tif 000003
【図２】
2018132543.tif 000004
【図３】
2018132543.tif 000005
【図４】
2018132543.tif 000006
【図５】
2018132543.tif 000007
【図６】
2018132543.tif 000008
【図７】
2018132543.tif 000009